(57)【要約】【課題】  フィルムと両側の枠体によって形成される断熱空間においてフィルムの展開・巻き戻しに支障を生じることなくフィルムを枠体に対して密着させる。【解決手段】  昇降部材５１により反転して対向するフィルムにより断熱空間を形成しかつフィルム両側の枠体２によりこの空間を密閉する構成において、枠体２内には押圧部材が配置され、押圧部材のＵ字体１Ｂａが押圧部材２の内壁面にそれぞれ圧接することにより対向する２枚のフィルムの側縁部をそれぞれ内壁面２ａに圧接して空間を密閉する。また昇降部材５１の端部に形成された離間部材３より、当該離間部材３が位置する部分ではＵ字体１Ｂａは離間部材３内に畳みこまれて内壁面２ａから離間し、フィルムの展開・巻き戻しの際にこのＵ字体１Ｂａが障害とならないようにする。【選択図】        図３
2011117136.tif 000002
【特許請求の範囲】
【請求項１】
昇降部材により展開・巻き戻し可能にフィルム第１面と第２面が空間を介して位置しかつフィルム第１面と第２面の側縁はそれぞれ枠体に位置することによりフィルム第１面と第２面及び枠体とにより前記空間が密閉された構造において、枠体の対向する内壁面に対しては自己の弾性により内壁面に対して圧接する圧接部が形成され、昇降部材の両端には、自己が位置する時にのみこの圧接部材の圧接状態を解除する離間部材が設けられ、フィルム第１面と第２面は枠体の内壁面に対して当該圧接部材より圧接されると共に、離間部材が位置する部分では当該圧接部材は枠体内壁面から離間し、フィルムの展開、巻き戻しに支障がないよう構成したことを特徴とする断熱空間形成部材。
【請求項２】
弾性を有する線材により中心軸の両側にＵ字体が形成され、中心軸を枠体底面に固定することにより各Ｕ字体が枠体の内壁面に圧接することによってこのＵ字体を圧接部とすることを特徴とする請求項１記載の断熱空間形成部材。
【請求項３】
昇降部材の中心軸両端には離間部材が設けられ、離間部材は円筒を縦割りした形状に構成され、離間部材本体を成すドーム部にはこの縦割り面と直交するよう昇降部材の回転軸が設けられ、離間部材の両端は当該回転軸に向かって開口が形成され、当該開口の側縁は圧接部が相対的に接触摺動するガイド部となり、離間部材が位置する圧接部はこの離間部材内に位置するよう構成したことを特徴とする請求項２記載の断熱空間形成部材。
【請求項４】
離間部材の本体は枠体内を摺動可能な形状に形成され、離間部材本体にはトンネル部が形成され、離間部材が位置する圧接部は、このトンネル部に当該圧接部が畳み込まれるよう構成したことを特徴とする請求項１記載の断熱空間形成部材。
【請求項５】
離間部材本体のトンネル部両端にはテーパー面が形成されていることを特徴とする請求項４記載の断熱空間形成部材。
【請求項６】
枠体底面の長手方向には支持体が形成され、押圧部材の中心軸はこの支持体により支持され、中心軸は可撓性を有し、昇降部材に設けられた押圧手段により、押圧手段と接触する部分の中心軸は支持体の溝に押し込まれ、かつこれにより中心軸の両側に形成された圧接部が枠体の内壁面から離間するよう構成したことを特徴とする請求項１記載の断熱空間形成部材。
【発明の詳細な説明】
【技術分野】
【０００１】
本発明は断熱空間を形成する部材に係り、特に内部に断熱空間を形成するようにした巻き込み及び展開可能なフィルム型の断熱空間形成部材に関する。
【背景技術】
【０００２】
昨今の省エネルギー対策に対応して、家屋をはじめとする各種建築物の断熱化も幅広く実施されている。建築物の場合壁部、床部、天井部等はグラスウール等の断熱材を配置することにより比較的容易に断熱することが可能である。
【０００３】
これに対して窓部を断熱することは上記の場合に比較して容易ではない。例えば窓ガラスとして単層３ｍｍのガラスを用いた場合、窓部の熱貫流率は壁面の１０倍以上にも及ぶことが知られている。従って、建物全体としての断熱を効率的に実施するためにはこの窓部の断熱効率を高める必要がある。
【０００４】
窓部の断熱方法としては、窓ガラスとしてペアガラスを用いたり、二重サッシとしたり或いは窓部に厚地のカーテンを引く等の方法があるが、何れも窓部の断熱手段としては不十分であると言わざるを得ない。また逆に窓部の断熱効率をより高く実施しようとすると、窓を通した外部の視認が不良になったり、採光の不良による室内光量不足や太陽熱の取り込み量が不足する等、窓としての機能を低下させてしまうおそれがある。
このような観点から発明者は先に下記特許文献記載の発明を提案している。
【特許文献１】特開２００５−１４６５１８
【０００５】
図９は窓部のカーテンとして利用可能な断熱空間形成部材の構成の一例を示している。  同図において、カーテンとして構成される布やフィルム等（以下これらを含めて「フィルム」で説明する）５０はその一端が例えば家屋の天井部に固定され、回転するローラとして構成されている昇降部材５１を介して反転上昇することにより、フィルム第１面５０Ａと、この第１面５０Ａと一定の空間Ｓ１を介して対向位置する第２面５０Ｂの二重構造となっている。
【０００６】
フィルム第２面５０Ｂは巻取りロール５２に巻かれたフィルムに接続している。巻取りロール５２はぜんまい等の弾性体を始めとする巻取り手段によりフィルム５０を巻き取る方向に回転するよう付勢されている。これにより昇降部材５１を昇降させることにより第１面５０Ａと第２面５０Ｂとからなる二重構造のフィルム５０を上下方向において自由な高さに設定することができ、ガラス窓５３等の断熱が困難な部分を断熱するために使用される。なお当然のことながら昇降部材５１を最下部まで下降させたときに断熱効果は最大となる。
【０００７】
上記の構成において、発明者等は図９に示すように第１面５０Ａと第２面５０Ｂの両側縁部が枠体５４Ａ、５４Ｂ内に位置するよう構成することにより、フィルム第１面５０Ａと第２面５０Ｂとにより形成される空間Ｓ１の密閉性を確保して空間Ｓ１内の空気を滞留させること、及びガラス窓５３との間に第２の空間Ｓ２を形成し、両空間Ｓ１、Ｓ２により窓部の断熱性をより高くするよう構成した断熱構造を提案している。
【発明の開示】
【発明が解決しようとする課題】
【０００８】
上記の枠体を構成して空間部Ｓ１の密閉性を高める構成において、例えば窓からの僅かなすきま風によってフィルムが揺れて空間部Ｓ１の密閉性が低下したり、或いはフィルムに静電気が帯電して第１面５０Ａと第２面５０Ｂとが密着することにより空間部Ｓ１の容積が減少したりする事態が生じることがある。発明者等はこの事態に鑑み、特願２００８−２６５２０６号を提案し、その解決を試みている。
【課題を解決するための手段】
【０００９】
本発明は上記出願に係る発明をさらに改良したものであり、空間部の密閉性をより確実にしかつフィルムの昇降をより円滑にし、更に装置としての生産性を高めるるよう構成した断熱空間形成部材であることを特徴とする。
【００１０】
即ち、本発明は第１面とこの第１面に対して空間を介して対向位置する第２面を有する断熱空間形成部材において、第１面と第２面の側縁部はそれぞれ枠体内に位置するよう構成され、枠体には対向位置する枠体内壁面に対して圧接するフィルム押圧部材が設けられ、かつ第１面と第２面の変換部に位置する昇降部材の両端には圧接部材を、圧接する枠体内壁面から一時的に離間させる離間部材が設けられ、第１面と第２面のフィルムの展開あるいは巻き戻し時にはこの離間部材により押圧部材の圧接状態を一時的に解除して押圧部材がフィルムの移動の邪魔にならないようにし、かつフィルムの展開時には第１面と第２面のフィルムを枠体のそれぞれの内壁面に圧接して空間Ｓ１を確実に確保すると共に、当該空間Ｓ１の密閉性をより高めるよう構成した断熱空間形成部材であることを特徴とする。
【発明の効果】
【００１１】
展開されたフィルムの第１面及び第２面はフィルム押圧部材（以下実施例も含めて単に「押圧部材」とする）により枠体の内壁面に対して圧接されるため、これらフィルムの第１面及び第２面により形成された空間は枠体も含めて高い密閉性を有し、空間内に滞留した空気により高い断熱性を保持することができる。
【００１２】
また昇降部材の両端に形成された離間部材によりフィルムの昇降時には押圧部材の枠体内壁面に対する押圧状態が一時的に解除されるため、押圧部材に邪魔されることなく円滑にフィルムを昇降させることができる。
【実施例１】
【００１３】
以下本発明の実施例を図面を参考に具体的に説明する。
図１及び図２はは押圧部材の構成状態の一例を示す。
この構成の押圧部材１において符号１Ａは、言わば押圧部材１の背骨をなす中心軸であり、この中心軸１Ａに対して、細いピアノ線や合成樹脂からなる弾性を有する線材（以下「押圧線材」とする）１Ｂが、反転（Ｕターン）しながらこの中心軸１Ａの左右において交互にＵ字状に展開した構成となっている。以下中心軸１Ａを起点として左右それぞれ反転したＵ字状部分が圧接部となる。なお本実施例においてはこの圧接部はその形状からＵ字体１Ｂａと称する。また図示の構成では中心軸１Ａの両側に展張したＵ字体１Ｂａの幅は同じであるが、中心軸１Ａの一方の側のＵ字体の幅を他方の側のＵ字体の幅と異ならせることにより、Ｕ字体の構成から見れば中心軸１Ａの位置を一方の側のＵ字体に偏心させるよう構成することも可能である。この構成は、後述するフィルム第１面と第２面に対するＵ字体の相対的な摺動の有無に対応する構成として有効である。
【００１４】
枠体２の対向する内壁面２ａ、２ａの幅をａとし、かつ底面部２ｂの底面の幅の半分をｂとした場合、前記Ｕ字体１Ｂａの幅Ｗは略ａ＋ｂ或いはこれよりやや小さな値としておく。押圧部材１はこのように構成された状態で、その中心軸１Ａが枠体１の底面２ｂの中央に位置するようにして枠体１の長手方向に固定される。なお、図示の構成では中心軸１Ａは枠体１の底面２ｂの中央に位置する構成としてしているが、この中心軸１Ａの位置を底面２ｂの中央から偏心して固定させることにより、上術した中心軸１Ａの両側のＵ字体１Ｂａの幅を異ならせた場合と同様な効果を発揮することができる。
【００１５】
上記中心軸１Ａが枠体２に固定されることにより、図２に示すように中心軸１Ａの左右に展開しているＵ字体１Ｂａは、そのＵ型の屈曲部が最も強い圧接力を以て枠体２の断面形状にほぼ沿うように屈曲する。即ち、自己の弾性によりＵ字の屈曲部分を頂点とするようにして、それぞれ枠体２の内壁面２ａ、２ａに対して圧接した状態となり、後述するようにフィルムを枠体２の内壁面２ａに圧接する圧接部として機能する。
【００１６】
次に図３を用いて離間部材の構造の一例及びその機能について説明する。
同図（Ｂ）において、図示の離間部材３は円筒をその中心軸に対して平行な面に沿って縦割りしたような、断面が略半円形のドーム状に形成された部材であり、この離間部材３の本体を成すドーム部３Ｂの頂点部に対してはその離間部材３の縦割り面に対して直交するように中心軸４が固設されている。
【００１７】
符号３Ａ１、３Ａ２は離間部材３の長手方向の両端に形成された開口部であり、当該開口部３Ａ１、３Ａ２はドーム部３Ｂの頂点に向かうに従って中心軸４に近接するよう、ドーム部３Ｂ形成時の前記縦割り面に対して斜めに形成されている。このようにして形成された開口部３Ａ１、３Ａ２の側縁部である３Ａ１ａ、３Ａ２ａは、後述するように離間部材３が移動する時に押圧部材１のＵ字体１Ｂａを枠体２の内壁面２ａ、２ａから離間させたり、或いは離間しているＵ字体１Ｂａを再度内壁面２ａ、２ａ圧接させるよう各Ｕ字体１Ｂａの動作を案内するガイド部として機能している。以下３Ａ１ａ、３Ａ２ａはガイド部と称する。
【００１８】
続いて図３（Ｂ）において離間部材３と押圧部材１の作動状態について説明する。
離間部材３は図示の如くローラ状の昇降部材５１の中心軸４に直交するようにして昇降部材５１の両端に取り付けられ（図示の場合はその一方の取り付け状態を示す）、かつ当該離間部材３は側縁部が枠体２の内壁面２ａ、２ａに沿って昇降部材５１の昇降動作に対応して枠体２内を昇降するよう構成されている
【００１９】
この構成において、昇降部材５１（図９参照）を下降させてフィルム５０Ａ、５０Ｂを展張させる場合について説明する。
図３において、昇降部材５１を矢印Ｄ方向に下降させることにより、同軸４の離間部材３もこの昇降部材５１と同時に枠体２内を下降する。この離間部材３の長手方向側縁の下端縁３Ｃ〔同図（Ｂ）参照〕は枠体２の内壁面２ａの下端部においてこの内壁２ａにほぼ密着しているため、図４に示すように、離間部材３が下降すると内壁面２ａに圧接している圧接部材１の各Ｕ字部１Ｂａはガイド部３Ａ２ａに沿ってドーム状の離間部材３の本体部内に折り畳み収納された状態となる。なお符号１Ｂａ´は当該離間部材３が位置しない場所においてＵ字体１Ｂａが立設し、フィルム第１面５０Ａ、５０Ｂの側縁部を押圧している状態を示す。
【００２０】
このようにしてＵ字部１Ｂが枠体２の内壁面２ａ、２ａから離間している状態で、昇降部材５１を介して対向しているフィルム第１面５０Ａ、第２面５０Ｂの側縁部が枠体２の内壁面２ａ、２ａに沿って展開する。さらに展開したフィルム第１面５０Ａ、第２面５０Ｂは、離間部材３が移動することより、離間部材３により押圧状態が解除され、上方に位置するガイド３Ａ１ａ、３Ａ２ａに沿って各Ｕ字体１Ｂａは自己の弾性により起立し、かつ前記内壁面２ａ、２ａ側に圧接することによりフィルム第１面５０Ａ、第２面５０Ｂの側縁部はＵ字体１Ｂａにより枠体２の内壁面２ａに圧接固定される。
【００２１】
逆に昇降部材５１を矢印Ｕ方向に上昇させてフィルム第１面５０Ａ、第２面５０Ｂを巻き戻す場合には離間部材３のガイド３Ａ１ａがフィルム第１面５０ａ、第２面５０Ｂを圧接しているＵ字体１Ｂａを昇降部材３内に屈曲収納することにより圧接状態を一時的に解除してフィルムの巻き込みを円滑に行う。
【００２２】
なお図９のように、フィルムの一端を固定し、巻取りロール５２によりフィルムを繰り出し或いは巻き込む構成の場合は、フィルムの第１面５０Ａ側は枠体に対する位置が固定されるが、繰り出し側の第２面５０Ｂは昇降部材５１の昇降に対応して枠体２に対して摺動することになる。つまりフィルム第２面５０Ｂ側においてはフィルムの繰り出し或いは付込み時に押圧部材１のＵ字体１Ｂａと同フィルム第２面５０Ｂは相対的に摺動することになる。
【００２３】
本来フィルムを枠体２の内壁面２ａに圧接するための圧接力はさして大きなものを必要としないため、フィルム第１面５０Ａと５０Ｂに対するＵ字体１Ｂａの圧接力は同じでもフィルムの展開・巻取りには別段支障はない。しかし、例えば押圧部材１の中心軸１Ａを第１面５０Ａ側の枠体内壁２ａに近接させ、第１面５０Ａ側を押圧する側のＵ字体１Ｂａの幅Ｗ１をＷ１＜ａ＋ｂとし、第２面５０Ｂ側を押圧する側のＵ字体１Ｂａの幅Ｗ２をＷ２＞ａ＋ｂとする。これにより第２面５０Ｂ側を押圧する側のＵ字体１Ｂａの圧接時のモーメントアームを長くすることによって当該第２面５０Ｂ側を押圧する側のＵ字体１Ｂａの圧接力を第１面５０Ａ側を押圧する側のＵ字体１Ｂａの圧接力よりも弱くする等の手段を講じることももとより可能である。    
【００２４】
以上、フィルムを直接押圧する部分を、弾性を有する線材で構成したＵ字体としたが、押圧部分はこのような線材以外にも当然構成可能である。
例えば、Ｕ字体１Ｂａの部分をプラスチックの薄板としたもの、このプラスチックの薄板を中心軸に対して対向して配置したもの等、要するにフィルムの押圧と、フィルムの展開、巻き戻し時に離間手段により枠体内壁面から離間可能であればフィルムの押圧手段として何れも構成も使用可能である。
【００２５】
図５は上記の押圧部分の他の構成例の一部を示す。
図中（Ａ）は、中心軸１Ａに対して個々のＵ字体（符号１Ｃで示す）を取り付けた構成を示す。また（Ｂ）は中心軸１Ａを中心としてその両側に対して、波型に形成した個別の弾性体をそれぞれ固定して、個々のＵ字体（符号１Ｄで示す）を配置することにより押圧部材１を形成している。さらに（Ｃ）の構成は、中心軸１Ａの両側に弾性材１Ｅを個々に展出させることにより押圧部材１を構成している。なお、図示の構成は何れもピアノ線、プラスチック線等の線材により構成されているが、このような線材の外一定の幅を有する材料によっても、当然のことながら押圧部分の構成は可能である。
【実施例２】
【００２６】
図６及び図７は離間部材の構成を変更した第２の実施例を示す。
符号６は本実施例に係る離間部材を示す。符号６Ａは離間部材本体（以下単に「本体」とする）であり、図示の構成では外形は単純なブロック状に形成されている。但しこの外形は本離間部材に必須の構成ではなく、要するに枠体２内を摺動可能でかつ後述のトンネル部が形成される形状であればその外形にとらわれるものではない。
【００２７】
この本体６Ａの幅Ｗｎは枠体２の対向する内壁面２ａ、２ａの幅よりもやや狭い幅でかつ昇降部材５１の外形と略等しい幅に形成され、枠体２内でその上下方向Ｕ、Ｄに昇降可能に構成されている。
【００２８】
本体６Ａに対しては枠体２における移動方向Ｕ、Ｄに平行するようにして空間部６Ｂが形成されている。この空間部６Ｂはトンネル状に形成され、図示されていないが本体６Ａの後端部に、図示の開口部６Ｂと同様の形状に開口している。以下これらの空間部をトンネル部６Ｂと称する。
【００２９】
トンネル部６Ｂにおける図示の開口部の周縁にはトンネル部６Ｂの内壁面に対して収斂するようなテーパー面６Ｂａが形成されている。このテーパー面６Ｂａは図示されない開口部他端にも形成されている。この形状とすることにより離間部材本体６Ａ内に、図３に示す離間部材３に対応する形状の空間がトンネル部６Ｂとして形成されることになる。またこの離間部材６は軸４を介して昇降部材５１に接続している。さらに当然のことながら前記離間部材３と同様、この離間部材６も昇降部材５１の両側にそれぞれ取り付けられている。
【００３０】
図７は前記離間部材６によるＵ字体１Ｂａが畳み込まれた状態を示し、枠体２においてこの離間部材６が位置する部分では各Ｕ字体１Ｂａは離間部材６のトンネル部６Ｂ側に巻き込まれ、前記実施例１の離間部材３と同様に枠体２の内壁面２ａ、２ａに対する圧接状態が解除されている。その他の機能も実施例１における離間部材３と同様である。なお、昇降部材５１と離間部材６との間にバネ材を配置し、バネ材の弾発力によりこの離間部材６を枠体２の底面側に圧接するよう構成することも可能である。この場合は枠体２の底面２ｂに対する離間部材６の圧接力が高いと、枠体２内での離間部材６の移動に支障を来すため、比較的弱いバネ材を用いることが望ましい。
【実施例３】
【００３１】
図８は第３の実施例を示す。符号５は枠体２の底面２ｂの中央において枠体２の長手方向に連設された支持体である。押圧部材１の中心軸１Ａはこの支持体５に支承され、中心軸１Ａの両側に展出したＵ字体１Ｂａは自己の弾性により枠体２の内壁面２ａ、２ａにそれぞれ圧接している。なおこの押圧部材１の中心軸１Ｃは前記実施例の中心軸１Ａとは相違して、可撓性を有している。
【００３２】
一方昇降部材５１に対しては一定の幅で中心軸１Ａを押圧する押圧手段が設けられている。なお、一定の幅とはフィルムの展開、巻取りにおいてＵ字体１Ｂａが邪魔にならない幅、例えば前記実施例の離間部材３の長さ程度としておく。
【００３３】
この状態で昇降部材５１が昇降すると、図（Ｂ）のように押圧手段により可撓性を有する中心軸１Ｃはこの押圧手段と接触している間支持体５の溝部に押し込まれ、この結果Ｕ字体１Ｂａは枠体内壁２ａから離間してフィルムの展開・巻き戻しに支障が生じないように動作する。また押圧手段が移動した後はＵ字体１Ｂａは構成する素材の弾性により図（Ａ）の如く再度枠体２の内壁面２ａに圧接すると共に、中心軸１Ｃも上昇して元の位置に戻る。なお上記押圧手段としては昇降部材５１の両端に形成配置され、かつ図８に示す中心軸１Ｃの幅とほぼ同じ幅でかつ昇降部材５１外径とほぼ同じ長さの板材とし、昇降部材５１の昇降に沿って、この昇降部材５１が位置する部分の中心軸１Ｃを押圧するようにしたもの等が考えられる。
【産業上の利用可能性】
【００３４】
本発明の構成を図９に示すようにフィルムの一端を固定し、巻取りロールから繰り出したフルムを対向位置させることにより第１、第２のフィルム面を構成する場合を例に説明したが、予め２枚のフィルムを巻いた状態でこの２枚のフィルムの間に昇降部材５１を配置し、２枚のフィルムを同時に繰り出し・巻き込むことにより形成される断熱空間形成部材に対しても同様に実施可能である。
【図面の簡単な説明】
【００３５】
【図１】本発明の第１の実施例を示す図であって、断熱空間形成部材の一部を成す枠体と押圧部材の斜視部分図である。
【図２】枠体内に於ける押圧部材の収納状態を示す押圧部材の斜視部分図である。
【図３】押圧部材と離間部材の斜視図であり、（Ａ）は枠体内での離間部材の移動状態を示し、（Ｂ）は離間部材の構成を示す図である。
【図４】枠体の断面図であり、枠体内における押圧部材が離間部材により枠体に対する押圧状態が解除されている状態を示す図である。
【図５】（Ａ）乃至（Ｃ）は他の構成の押圧部材の展開部分図である。
【図６】第２の実施例を示す離間部材の斜視図である。
【図７】図６に示す離間部材による押圧部材の折り畳み状態を示す枠体及び離間部材の断面図である。
【図８】（Ａ）及び（Ｂ）は第３の実施例における押圧部材の作動状態を示す枠体の断面図である。
【図９】窓に配置されたフィルムの展開状態により形成される空間部を示す図である。
【図１０】枠体内に配置されたフイルムと空間部の関係を示す斜視図である。
【符号の説明】
【００３６】
１  押圧部材
１Ａ  （押圧部材１の）中心軸
１Ｂ  （押圧部材１の）押圧線材
１Ｂａ  （押圧部材１の）Ｕ字体
２  枠体
２ａ  （枠体２の）内壁面
３  離間部材
３Ａ１、３Ａ２  （離間部材３の）開口部
３Ａ１ａ、３Ａ２ａ  （離間部材３の）ガイド部
３Ｂ  （離間部材３の）ドーム部
３Ｃ  （離間部材３の）下部端縁
４  軸
５  支持体
６  離間部材
６Ａ  （離間部材６の）本体
６Ｂ  （離間部材６の）トンネル部
６Ｂａ  （トンネル部６Ｂの）テーパ面
５０  フィルム
５０Ａ  （フィルム５０の）第１面
５０Ｂ  （フィルム５０の）第２面
５１  昇降部材
５２  巻き取りロール
５３  ガラス窓
Ｓ１  （フィルム第１面と第２面により形成された）空間部
Ｓ２  （フィルム第１面とガラスにより形成された）空間部
【図１】
2011117136.tif 000003
【図２】
2011117136.tif 000004
【図３】
2011117136.tif 000005
【図４】
2011117136.tif 000006
【図５】
2011117136.tif 000007
【図６】
2011117136.tif 000008
【図７】
2011117136.tif 000009
【図８】
2011117136.tif 000010
【図９】
2011117136.tif 000011
【図１０】
2011117136.tif 000012